(57)【特許請求の範囲】
【請求項１】
不純物として水分及び炭酸ガスを含む原料ガスを、前記不純物を吸着する吸着剤を充填した複数の切換え使用される吸着塔に通して、圧力変動吸着ガス分離法により前記不純物を除去することにより精製ガスを得る方法であって、
（ａ）圧縮した原料ガスを３５〜４５℃の温度で前記吸着塔に導入し、該原料ガスの水分を最初に吸着除去し、続いて炭酸ガスを吸着除去する吸着工程と、
（ｂ）前記吸着工程の後に、吸着塔内を大気圧まで減圧する減圧工程と、
（ｃ）前記減圧工程の後に、前記原料ガス量に対して０．２〜０．５の量の前記不純物を含まないパージガスを５０〜７０℃の温度で、前記吸着塔へ供給される熱量を、前記吸着工程で前記原料ガスによって吸着塔へ持ち込まれる熱量に対して０．５以上にして前記吸着塔に導入して吸着剤を加熱再生する加熱工程と、
（ｄ）前記加熱工程の後に、前記吸着塔に導入して吸着剤を冷却する冷却工程を行わずに、前記精製ガスの一部を前記吸着塔に導入して昇圧する充圧工程と
を含み、前記各工程（ａ），（ｂ＋ｃ），（ｄ）の時間をそれぞれ１５〜２５分の範囲に設定したことを特徴とするガス精製方法。
【請求項２】
前記圧縮した原料ガスを前記吸着塔に導入する前に、空気又は冷却水と熱交換させて冷却することを特徴とする請求項１記載のガス精製方法。
【請求項３】
前記圧縮した原料ガスを前記吸着塔に導入する前に、循環冷却水と向流気液接触させて冷却することを特徴とする請求項１記載のガス精製方法。
【請求項４】
前記吸着塔で精製された精製ガスを、空気又は冷却水と熱交換させて６０℃以下に冷却することを特徴とする請求項１記載のガス精製方法。
【請求項５】
前記圧縮した原料ガスと前記パージガスとを熱交換させることにより、前記圧縮した原料ガスを冷却するとともに前記パージガスを加熱することを特徴とする請求項１記載のガス精製方法。
【請求項６】
前記原料ガスが空気液化分離装置の原料空気であり、前記パージガスが前記空気液化分離装置から導出される廃ガスであることを特徴とする請求項１乃至５のいずれか１項に記載のガス精製方法。
【請求項７】
前記水分を吸着除去する吸着剤が、活性アルミナ、シリカゲルあるいはＡ型ゼオライトのいずれか１種類又はこれらの吸着剤の２種類以上の組合せであることを特徴とする請求項１乃至６のいずれか１項に記載のガス精製方法。
【請求項８】
前記炭酸ガスを吸着除去する吸着剤がゼオライトであることを特徴とする請求項１乃至５のいずれか１項に記載のガス精製方法。
【発明の詳細な説明】
【０００１】
【発明の属する技術分野】
本発明は、ガス精製方法に関し、特に、空気液化分離装置に導入する原料空気中に含まれる水分及び炭酸ガスを除去して原料空気を精製するのに適したガス精製方法に関する。
【０００２】
【従来の技術及び発明が解決しようとする課題】
空気液化分離装置による酸素や窒素等の分離において、原料空気に含まれる水分及び炭酸ガスは、液化深冷部で固化する前に前処理と称して除去される。近年、製品として窒素を高い割合で採取し、かつ、炭酸ガスの除去レベルも０．１ｖｏｌ．ｐｐｍ以下とすることを求められると共に、操作性に優れた装置が望まれたことから、吸着塔を用いて水分や炭酸ガスを吸着除去する方法が広く行われている。
【０００３】
吸着法による前処理には、吸着／脱着工程の温度差により目的成分の吸／脱着を行う温度変動吸着式による方法（ＴＳＡ法）と、圧力差により目的成分の吸／脱着を行う圧力変動吸着式による方法（ＰＳＡ法）とが知られている。前記ＴＳＡ法は、ＰＳＡ法に比べて、一般的に再生ガスの量が少なくてすむので、その分製品収率が高いというメリットはあるが、再生用のガスを加温するために少なからぬ熱量を消費するというデメリットがある。一方、ＰＳＡ法においては、パージ比（処理ガス量に対する再生ガス量の比）が比較的大きいというデメリットはあるが、加熱のための熱は消費しないというメリットがあり、両者は、空気液化分離装置の運転条件（主として原料空気の圧力）によって使い分けられてきた。
【０００４】
このような吸着法によるガス精製を効果的に行うため、例えば特公昭５５−１９６５６号公報には、再生時に減圧を行うとともに、脱着熱を補うに足る熱量を与え得るほどに加熱する方法が記載されている。この方法は、ＰＳＡ法にＴＳＡ法を付加した方法で、いわばＰＴＳＡ法（Ｐｒｅｓｓｕｒｅ  Ｔｅｍｐｅｒａｔｕｒｅ  Ｓｗｉｎｇ  Ａｄｓｏｒｐｔｉｏｎ法）ともいうべき方法である。
【０００５】
上記公報には、実施例として、ガスの乾燥が取上げられているが、水、炭酸ガスを同時に除去する場合については記載が無く、加熱量に関する定量的な記述も見られない。
【０００６】
また、特開昭５５−９７２２１号公報には、再生時のパージガスの温度を、前半は吸着温度より少なくも１０℃以上高い温度で供給し、後半は吸着温度と同等以下の温度で供給することが記載されている。この公報記載の実施例によれば、原料空気を８気圧／１０℃で供給し、パージガスを昇温時４０℃、非昇温時１３℃で供給して運転した結果、精製空気中の水分が１．５ｐｐｍ、炭酸ガスが２．５ｐｐｍとなったことが示されている。
【０００７】
さらに、特開昭５５−２７０３４号公報には、３基の吸着塔を用いて２基をＰＳＡ法で切換え使用する間に、他の吸着塔を加熱再生した後、前記２基の吸着塔と順次切換える方法が記載されている。すなわち、吸着塔の加熱再生に必要な時間とＰＳＡ操作の切換え周期とを合わせるために、２塔をＰＳＡ法で切換え使用している間に、他の１塔のＴＳＡ再生を行い、ＴＳＡ再生が終了した時点でこの塔をＰＳＡ法の切換えサイクルに戻すようにしている。
【０００８】
これらの公報には、加温を併用したＰＳＡ法についての概念的な考え方は開示されているが、加熱の程度、その効果、用いる吸着剤と加熱の程度との係わりなど、実施に当たって重要な要素についての記載が無く、更なる検討が必要な状況にある。
【０００９】
一方、空気液化分離装置において、原料空気中の水分及び炭酸ガスを吸着除去する際には、空気圧縮機で圧縮した原料空気をアフタークーラーで常温程度まで冷却した後、フロン等を用いた冷凍機で０〜１０℃に冷却してから吸着塔に導入するようにしている。
【００１０】
空気液化分離装置における原料空気の冷却方法は、比較的小型の装置では原料空気をフロン冷凍機で直接的に冷却する方法が採用されており、比較的大型の装置では水洗冷却塔を循環する循環水で冷却する方法が主として採用されている。しかし、原料空気を循環水で冷却する場合でも、循環水をフロン冷凍機で冷却するなど、フロン冷凍機を用いている場合が多い。
【００１１】
ところが、近年は、環境保護の観点から、フロン冷凍機を使用しない方向に進んでいるため、空気分離装置においても、原料空気をフロン冷凍機で冷却せずに吸着塔に導入することが望まれている。しかし、フロン冷凍機を用いない場合は、前処理装置（吸着塔）に供給される原料空気の温度が、アフタークーラーを出た温度（水温プラス５〜１０℃）となるため、夏季には４０℃を超える温度となり、原料空気に含まれる飽和水分量が大幅に増加する。例えば、一般的な原料空気処理条件である６２０ｋＰａにおける飽和水分量は、空気温度が４０℃になると、１０℃のときに比べておよそ６倍となる。
【００１２】
このため、水分吸着剤、例えば活性アルミナで水分を吸着除去したとすると、この吸着現象で発生する吸着熱により、活性アルミナを通過した空気温度はおよそ６０℃となる。このため、炭酸ガス吸着剤、例えばゼオライトによる炭酸ガスの吸着量は、吸着量の温度依存性（高温で吸着量低下）のために吸着温度１０℃のときのおよそ１／３に減少してしまう。したがって、このような条件で水分／炭酸ガスを吸着除去するためには、単純にいって活性アルミナは６倍／ゼオライトは３倍の量が必要となり、経済性が極めて悪化する。
【００１３】
使用する吸着剤量が少なくても、適切に水分／炭酸ガスを吸着除去するための方法として、吸着工程時間を短くして吸着塔に導入される水分／炭酸ガス量を実質的に少なくする方法が考えられる。しかしながらこの場合、ＴＳＡ法で吸着／再生を行ったとすると、必然的に吸着剤の再生を行う加熱あるいは加熱再生後の冷却に割り当てられる時間も短くなるため、吸着剤の再生不足あるいは吸着剤の冷却不足が生じ、いずれにしても適切に水／炭酸ガスを吸着除去できないことになる。すなわち、ＴＳＡ法を単純に短サイクル化することでは、フロン冷凍機を用いない吸着法による水／炭酸ガス除去の目的は達せられない。
【００１４】
そこで本発明は、加温を併用したＰＳＡ法（圧力変動吸着ガス分離法）によって不純物を吸着除去するガス精製方法において、工程切換え時間の適切化を図り、さらに、精製される原料ガスの温度及び量と、加熱再生に使用するパージガスの温度及び量との関係の適切化を図ることにより、経済的にかつ効率よく水分、炭酸ガスを除去することができるガス精製方法を提供することを目的としている。
【００１５】
【課題を解決するための手段】
上記目的を達成するため、本発明のガス精製方法は、不純物として水分及び炭酸ガスを含む原料ガスを、前記不純物を吸着する吸着剤を充填した複数の切換え使用される吸着塔に通して、圧力変動吸着ガス分離法により前記不純物を除去することにより精製ガスを得る方法であって、（ａ）圧縮した原料ガスを３５〜４５℃の温度で前記吸着塔に導入し、該原料ガスの水分を最初に吸着除去し、続いて炭酸ガスを吸着除去する吸着工程と、（ｂ）前記吸着工程の後に、吸着塔内を大気圧まで減圧する減圧工程と、（ｃ）前記減圧工程の後に、前記原料ガス量に対して０．２〜０．５の量の前記不純物を含まないパージガスを５０〜７０℃の温度で、前記吸着塔へ供給される熱量を、前記吸着工程で前記原料ガスによって吸着塔へ持ち込まれる熱量に対して０．５以上にして前記吸着塔に導入して吸着剤を加熱再生する加熱工程と、（ｄ）前記加熱工程の後に、前記吸着塔に導入して吸着剤を冷却する冷却工程を行わずに、前記精製ガスの一部を前記吸着塔に導入して昇圧する充圧工程とを含み、前記各工程（ａ），（ｂ＋ｃ），（ｄ）の時間をそれぞれ１５〜２５分の範囲に設定したことを特徴としている。
【００１７】
また、前記圧縮した原料ガスを吸着塔に導入する前に空気又は冷却水と熱交換させて冷却すること、あるいは、圧縮した原料ガスを循環冷却水と向流気液接触させて冷却することを特徴としている。さらに、吸着塔で精製した精製ガスを空気又は冷却水と熱交換させて６０℃以下に冷却すること、圧縮した原料ガスと前記パージガスとを熱交換させて圧縮した原料ガスを冷却するとともにパージガスを加熱することを特徴としている。
【００１８】
特に、本発明のガス精製方法は、前記原料ガスが空気液化分離装置の原料空気であり、前記パージガスが前記空気液化分離装置から導出される廃ガスであることを特徴としている。
【００２０】
さらに、本発明のガス精製方法は、前記水分を吸着除去する吸着剤が、活性アルミナ、シリカゲルあるいはＡ型ゼオライトのいずれか１種類又はこれらの吸着剤の２種類以上の組合せであること、前記炭酸ガスを吸着除去する吸着剤がゼオライトであることを特徴としている。
【００２２】
【発明の実施の形態】
図１は、本発明のガス精製方法を適用したガス精製装置の概略を示す系統図である。なお、本形態例では、３基の吸着塔を用いた３塔切換え方式のガス精製装置を、空気液化分離装置に付属する前処理装置に使用した例について説明する。
【００２３】
導管１から導入された原料空気は、空気圧縮機２によって空気液化分離装置として必要な運転圧力まで圧縮され、パージガス加熱用の予熱器３を通ってアフタークーラー４に入る。原料空気は、このアフタークーラー４で冷却水と熱交換して４５℃以下に冷却され、このとき凝縮した水分は、ドレンとして排出される。アフタークーラー４から導管５に流出した４５℃以下、水分飽和の圧縮原料空気は、３基の吸着塔Ａ，Ｂ，Ｃの中の吸着工程を行っている吸着塔Ｂに導入される。図１では、吸着塔Ａが加熱工程、吸着塔Ｂが吸着工程、吸着塔Ｃが充圧工程を行っている状態を示している。
【００２４】
各吸着塔には、原料ガス入口側に水分吸着剤として活性アルミナ等が充填され、その後段に炭酸ガス吸着剤としてゼオライト等が充填されている。したがって、吸着塔Ｂに流入した原料空気は、前段で水分が吸着除去され、後段で炭酸ガスが吸着除去された後、例えば、水分１ｐｐｍ以下、炭酸ガス０．１ｐｐｍ以下の精製空気となって吸着塔出口の導管６ｂに流出する。この精製空気は、導管６ｂから導管７，精製ガス冷却器８を経て空気液化分離装置の液化深冷部９に導入される。
【００２５】
一方、液化深冷部９から製品にならないガスとして導管１０に排出され、パージガスとして用いられる廃ガスは、前記予熱器３で、圧縮熱で昇温した前記原料空気との熱交換により、吸着塔を再生温度に加熱するために必要な温度に昇温する。昇温後のパージガスは、導管１１を通り、加熱工程を行っている吸着塔Ａの精製ガス出口側から塔内に流入する。吸着剤から脱着した水分や炭酸ガスを同伴したパージガスは、原料ガス入口側の導管１２から大気に排出される。これによって吸着塔Ａ内の吸着剤が再生される。なお、再生用のパージガスは、不純物として水分や炭酸ガスを含まないガスならば任意のガスを用いることができ、上述のように空気液化分離装置の廃ガスを用いてもよいが、吸着工程を行っている吸着塔から導出した精製ガス（精製空気）の一部を減圧して使用することもでき、これらを単独又は混合して用いることができる。
【００２６】
また、充圧工程を行っている吸着塔Ｃには、吸着塔Ａから導管６ｂに導出した精製空気の一部が導管１３に分岐して精製ガス出口側から塔内に導入されている。これにより、吸着塔Ｃは、吸着圧力まで充圧される。
【００２７】
各吸着塔に充填する吸着剤としては、活性アルミナ、シリカゲル、モレキュラーシーブ３Ａ，４Ａ，５Ａ型等のＡ型ゼオライト等の水分吸着剤と、Ｘ型ゼオライト、モレキュラーシーブ１０Ｘ，１３Ｘの他、Ｂａ・Ｘゼオライト等の１３Ｘ型ゼオライトをベースとしてイオン交換可能なカチオンの一部あるいは全部を１価又は２価の金属カチオンで置き換えたものや、モレキュラーシーブ５Ａ型ゼオライト等の炭酸ガス吸着剤とを併用することが好ましく、特に、水分吸着剤には活性アルミナが、炭酸ガス吸着剤にはＸ型ゼオライトが、それぞれ最適である。これらの吸着剤は、２種類以上を組合わせて使用することもでき、形状も、ペレット、タブレット、ビーズ等のいずれであってもよい。
【００２８】
なお、前記各種ゼオライトは、水分吸着剤としても優れた吸着能力を有する吸着剤であるから、吸着塔内の総ての吸着剤を前述の各種ゼオライトにすることもできる。この場合、原料ガス入口側のゼオライトは主として水分吸着剤として機能し、精製ガス出口側のゼオライトは主として炭酸ガス吸着剤として機能する。
【００２９】
水分吸着剤と炭酸ガス吸着剤との充填割合は、水分量や炭酸ガス量等の条件によっても異なるが、原料空気精製用として使用する場合は、一般的に、水分量が飽和状態であり、炭酸ガス量が０．０３％であるから、全吸着剤重量に対する水分吸着剤の割合を０．７以下にすることが好ましい。このとき、炭酸ガス吸着剤として用いられるゼオライトを全量使用した場合は、水分吸着剤の使用量は見た目に零となる。すなわち、炭酸ガス吸着剤として広く用いられている各種ゼオライトは、水分吸着剤としても機能するため、水分吸着専用の剤を特に使用しなくても、前述のようにゼオライトを水分吸着剤としても使用することができる。一方、水分吸着剤の中には、炭酸ガスを吸着する能力をほとんど持たないものがあるため、このような水分吸着剤を使用する場合は、その充填量を多くすると、結果的に炭酸ガス吸着剤の充填量が少なくなり、炭酸ガスを十分に吸着除去することが困難となる。しかし、水分吸着剤の中で、活性アルミナやモレキュラーシーブ４Ａ，５Ａは、比較的高い炭酸ガス吸着能力を持つので、水分吸着剤の充填割合を全吸着剤量に対して０．７まで高めることができる。
【００３０】
前述の各工程は、吸着剤が水分や炭酸ガスで飽和する前に、所定の時間を経過した時点で打切られ、吸着塔Ａが充圧工程、吸着塔Ｂが減圧工程から加熱工程、吸着塔Ｃが吸着工程にそれぞれ切換えられる。以下、表１に示すように、各吸着塔にそれぞれ付属する切換弁を所定の順序で自動的に開閉することにより、各吸着塔について各工程をずらしながら順次行うことにより、連続的に原料空気の精製を行う。
【００３１】
【表１】
0004252668.tif 000002
【００３２】
表１に示す工程１〜３の切換え時間、すなわち、吸着工程を実施する時間、減圧工程及び加熱工程を実施する時間、充圧工程を実施する時間は、１０〜４０分の範囲、好ましくは１５〜２５分の範囲が適当である。
【００３３】
この工程切換え時間は、従来の加温を併用したＰＳＡ法に比べて短い時間であり、このような短いサイクルで運転することにより、１回の吸着工程の間に吸着塔に入る水分／炭酸ガスの負荷を減少させ、これを吸着除去するために必要な吸着剤量も減少させることができる。一方、工程切換え時間を１０分未満にすると、吸着塔切換えによる充圧ロス（空隙等に存在して利用できないガス）が増加するため、経済的な運転を行うことができなくなり、工程切換え時間を長くし過ぎると、吸着塔内に持ち込まれる除去対象物質の量が増加し、必要となる吸着剤量が増加するとともに、減圧操作のみによって脱着する量も限られてしまうため、吸着量に対する脱着量の割合が低下して十分な再生が行えなくなってしまう。
【００３４】
さらに、前記加熱工程は、吸着塔内の全ての吸着剤を加熱することなく、塔の中間部までが加温された時点で打切るようにしている。すなわち、前述のように、原料ガス入口側に水分吸着剤を、その後段に炭酸ガス吸着剤を充填することにより、水分吸着剤は、吸着工程後の減圧工程での圧力低下によりある程度再生された後、加熱工程で塔出口側から導入されて炭酸ガス吸着剤を再生した後のガスが水分吸着剤部分を通過するので、このガスによっても再生されることになる。特に、吸着工程時に炭酸ガス吸着剤部分を流れるガスは、水分吸着剤での水分の吸着熱により６０℃以上に昇温しているため、減圧工程及び加熱工程で炭酸ガス吸着剤部分から水分吸着剤部分に流れるガスの温度も比較的高くなる。したがって、工程切換え時間を短くして吸着塔内に持ち込まれる水分量をある程度以下にすることにより、加熱工程で水分吸着剤を加温しなくても、水分吸着剤を十分に再生することが可能となる。
【００３５】
また、従来は、加熱工程を行った後、フロン冷凍機で冷却された原料空気の温度まで吸着剤を冷却するために長時間の冷却工程を行っていたが、精製する原料空気温度が比較的高く、切り換え時間の短縮により除去すべき不純物量が少ないことから、従来に比べて比較的高温で不純物を十分に吸着除去できるので、加熱工程を行った後の冷却工程を省略することができる。したがって、加熱工程で塔の中間部まで加えられた熱は、次の充圧工程ではガスの出口が閉ざされているため、塔内にとどまることになるが、吸着工程で塔内に流入する原料空気の温度を適切に設定することにより、塔内温度を所定の温度範囲内に維持して所定の吸着操作を行うことができる。
【００３６】
すなわち、吸着剤層における最も低温の部分の温度は、概ね吸着塔に導入される原料ガス（原料空気）の温度に依存しており、原料空気温度が高ければ相対的に高く、原料空気の温度が低ければ相対的に低くなる。そして、４５℃を超える温度の原料空気を処理しようとすると、吸着剤の温度が高くなり、吸着剤における吸着量の温度依存性のため、必要となる吸着剤量が極めて多くなるだけでなく、吸着剤を再生するために必要なパージガス量も多くなってしまう。一方、原料空気の導入温度が低すぎると、例えば３０℃未満であると、吸着塔入口側に充填した吸着剤の温度が低くなり、その部分における水分の吸着量が増加するため、十分な再生を行うためには、再生時に高温に加熱し、再生用のパージガスも大量に必要になり、再生に要する時間も長くなってしまう。
【００３７】
したがって、前述のような短時間での工程切換で効果的な吸着及び再生を行うためには、空気液化分離装置の原料ガスを精製する場合、吸着塔に導入する原料空気の温度を、３０〜４５℃の範囲に設定することが好ましい。
【００３８】
また、吸着剤の再生は、減圧工程における吸着圧から大気圧への減圧と、加熱工程における加熱パージによって行われるが、加熱パージに使用するパージガス量は、原料空気量に対して０．２〜０．５の範囲であることが好ましく、さらに、吸着工程で原料空気によって吸着塔へ持ち込まれる熱量に対して加熱工程でパージガスによって吸着塔へ供給される熱量の割合を０．５以上に設定することが好ましい。
【００３９】
このような関係は、経験的な法則として、
加熱パージガス量×加熱パージガス温度［℃］÷（原料ガス量×原料ガス温度［℃］）≧０．５
という関係により決定される。
【００４０】
パージガス量が原料空気量に対して０．２以下では、加熱ガスの温度を高くしても、加温される吸着剤の割合が小さく、水分や炭酸ガスの適切な脱着、即ち吸着剤の再生を適切に行うことができない。一方、パージガス量を多くすると、即ちパージ比率を高くすると、吸着剤の再生という点では全く問題はないが、空気液化分離装置としての製品比率を低下させることになるので、装置全体としての経済性が損なわれる。
【００４１】
また、加熱工程のパージ再生を効果的に行うためには、パージガス量が少ない場合にはパージガスの加熱温度を高くし、パージガス量が多くできる場合にはパージガスの温度を低くすることができるが、この関係は、吸着工程で原料空気によって吸着塔へ持ち込まれる熱量に対し、加熱工程でパージガスによって吸着塔へ持ち込まれる熱量の割合が少なくとも０．５となるようにすることが好ましい。すなわち、パージガスが持ち込む熱量が原料空気の持ち込み熱量に対して０．５未満になると、十分な再生を行えなくなる。
【００４２】
さらに、パージガスを加熱するための手段としては、電気ヒーター等の一般的な加熱装置を用いることができるが、圧縮機出口に設けた予熱器３で、圧縮熱により昇温した原料空気とパージガスとを熱交換させることにより、圧縮熱を有効に利用してパージガスを適当な温度に昇温することができるとともに、原料空気を前述の３０〜４５℃の範囲に冷却することができるので、パージガスの昇温や原料空気の冷却を経済的に行うことができる。なお、予熱器３でパージガスを十分に昇温することができない場合は、導管１１に適宜なヒーターを設置すればよい。
【００４３】
また、原料空気を精製装置へ導入する系統に、原料空気温度を前述の範囲にするための温度制御手段を設けることもできる。この温度制御手段としては、例えば、吸着塔入口経路に温度計を設け、該温度計で測定される温度が設定値になるように、原料空気の一部を、冷却器や予熱器等の冷却手段をバイパスさせることによって行うことができる。さらに、圧縮熱で昇温した原料空気を冷却する手段としては、空気又は冷却水を冷却源として原料空気を冷却する原料空気冷却器や、循環冷却水と圧縮された原料空気とを気液接触させて原料空気を冷却する水洗冷却塔や、原料空気経路を一方の熱交換通路とし、パージガス経路を他方の熱交換通路としたパージガス予熱器により行うことができる。
【００４４】
一方、吸着塔を出た精製空気は、主として水分の吸着熱により６０℃以上に昇温しているため、精製ガス冷却器８等で、６０℃以下、望ましくは４０℃以下に冷却することにより、空気液化分離装置の低温部分に対する熱負荷を減少させることができる。
【００４５】
また、精製装置（吸着塔）に導入する原料空気の圧力は、０．５ＭＰａ以上であることが好ましい。原料空気の導入圧力が低くなると、原料空気の圧力低下に伴って含水量が増加するため、吸着除去すべき負荷が増大して吸着剤量を多くしなければならないだけでなく、ＰＳＡ法としての吸着圧力と再生圧力との差が小さくなるので、圧力変化による吸着量の変化が小さくなり、減圧による再生効率が低下して脱着再生が困難になってしまう。逆に、圧力の上限は、圧縮機の能力や空気液化分離装置の各部の耐圧等に制限され、精製装置自体としての上限は、特に限定されることはない。
【００４６】
なお、上述の各条件は、空気液化分離装置の原料空気中に含まれる水、炭酸ガスを除去する場合の好ましい条件範囲を示すものであり、精製すべきガス（原料ガス）中に含まれる水、炭酸ガスを吸着除去する目的であれば、様々なガスの精製に適用することができ、原料ガス中の不純物量や精製ガスの採取率等の条件に応じて適宜最適な運転条件を設定することができる。
【００４７】
【実施例】
図２に示す構成の精製装置を、空気液化分離装置の前処理装置として使用し、原料空気中に含まれる水分及び炭酸ガスを除去する実験を行った。この精製装置は、３基の吸着塔Ａ，Ｂ，Ｃを切換え可能に設けたもので、各吸着塔内には、入口側に２〜３ｍｍ径のビーズ状活性アルミナを充填し、その後段（出口側）に１〜３ｍｍ径のビーズ状ゼオライト１３Ｘを充填した。各吸着塔の入口側には、原料空気入口弁２１ａ，２１ｂ，２１ｃと、排気弁２２ａ，２２ｂ，２２ｃとが設けられており、原料ガス（原料空気）導入経路３１とパージガス導出経路３２とがそれぞれ接続している。また、各吸着塔の出口側には、精製空気出口弁２３ａ，２３ｂ，２３ｃと、パージ弁２４ａ，２４ｂ，２４ｃと、充圧弁２５ａ，２５ｂ，２５ｃとが設けられており、精製ガス（精製空気）導出経路３３と、パージガス導入経路３４と、充圧ガス導入経路３５とがそれぞれ接続している。
【００４８】
原料空気を圧縮する原料空気圧縮機４１の後段に設けたアフタークーラー４２には、該アフタークーラー４２をバイパスするバイパス経路４３を設けるとともに、アフタークーラー４２を出た原料空気の温度を測定してバイパス量を制御する温度制御手段としての温度指示調節計４４とバイパス弁４５とを設置した。なお、原料空気圧縮機４１の大気取入れ口にはフィルター４６を設置し、パージガス導出経路３２の末端には消音器４７を設置している。
【００４９】
また、パージガス導入経路３４及び充圧ガス導入経路３５は、精製空気導出経路３３から弁５１，５２を介して分岐させ、圧力や流量の調節が可能に形成するとともに、パージガス導入経路３４には、流量計５３及びヒーター５４を設置した。精製空気は、その一部を、分析弁５５を介して分析経路５６に分岐させた他、大部分の精製空気は、弁５７、流量計５８を通して導出した。
【００５０】
この精製装置の運転は、前記同様に、各弁を所定のシーケンスに基づいて開閉することにより連続的に原料空気の精製を行う。例えば、吸着塔Ａが再生工程（減圧工程から加熱工程）、吸着塔Ｂが吸着工程、吸着塔Ｃが充圧工程のとき、原料空気圧縮機４１で圧縮された原料空気は、温度制御手段でアフタークーラーバイパス量を制御することによって所定の温度に調節された後、該温度における水分飽和の状態で原料空気導入経路３１から原料空気入口弁２１ｂを通って吸着塔Ｂに流入する。吸着塔Ｂで精製された精製空気は、精製空気出口弁２３ｂから精製空気導出経路３３に流出し、その一部がパージガス導入経路３４と充圧ガス導入経路３５とに分岐し、パージガス及び充圧ガスとして用いられる。
【００５１】
吸着塔Ａでは、最初に排気弁２２ａからパージガス導出経路３２に塔内のガスを排出する減圧工程が行われ、続いて、パージガス導入経路３４に分岐した精製空気がヒーター５４により所定温度に加熱された後、パージ弁２４ａを通って吸着塔Ａ内に導入され、排気弁２２ａから排出される加熱工程が行われる。吸着塔Ｃでは、充圧ガス導入経路３５に分岐した精製空気が充圧弁２５ｃを通って吸着塔Ｃ内に導入されている。
【００５２】
このように形成した精製装置を使用し、原料空気量を１５００Ｎｍ３／ｈ、原料空気圧力（吸着圧力）を０．８ＭＰａ、再生圧力を大気圧、工程切換え時間を２０分にそれぞれ固定し、吸着塔に流入する原料空気の温度（空気温度［℃］）、原料空気量に対するパージガス量（パージガス率）、パージガスの温度（加熱温度［℃］）及び吸着塔に充填した全吸着剤量に対する活性アルミナの重量比を表２の実験番号１〜１０に示すようにそれぞれ設定して運転し、精製空気中の水分量及び炭酸ガス量を測定した。その結果を表２に示す。
【００５３】
【表２】
0004252668.tif 000003
【００５４】
表２に示すように、空気液化分離装置の原料空気の精製を想定した実験では、実験番号６では、空気温度が低いために再生が十分に行えず、実験番号７では、空気温度が高いために十分な吸着除去が行えず、実験番号８ではパージガス率が低くて十分な加熱再生が行えず、実験番号９では加熱温度が低くて原料空気の持ち込み熱量に対してパージガスが持ち込む熱量が少なくなったために十分な加熱再生が行えず、実験番号１０では炭酸ガス吸着剤であるゼオライト１３Ｘの充填量が少ないため、いずれの場合においても、精製空気中の炭酸ガス量が１ｐｐｍを超え、炭酸ガスに対して吸着剤が破過した状態になってしまった。
【００５５】
【発明の効果】
以上説明したように、本発明によれば、フロン冷凍機や水洗冷却塔等の特別な設備を用いることなく、圧縮後の原料ガスを空冷あるいは水冷によるアフタークーラーで冷却するだけでも、原料ガス中の水分、炭酸ガスを高度に除去することができる。また、切換え時間の短縮により、吸着塔の小型化を図ることができ、パージガス量と加熱程度とを最適化することによって経済的にガスを精製することができる。特に、空気液化分離装置の原料空気を精製するための前処理用精製に最適である。
【図面の簡単な説明】
【図１】  本発明のガス精製方法を適用したガス精製装置の概略を示す系統図である。
【図２】  実施例で使用したガス精製装置の系統図である。
【符号の説明】
Ａ，Ｂ，Ｃ…吸着塔、２…空気圧縮機、３…予熱器、４…アフタークーラー、８…精製ガス冷却器、９…液化深冷部
【図１】
0004252668.tif 000004
【図２】
0004252668.tif 000005